(57)【要約】【課題】  低コストな構成によって光ケーブルの光回線を自在な配列順序でコネクタ成端することが可能な光配線盤を提供する。【解決手段】  ケーブル側光ファイバ２と成端用光ファイバ３０との接続部２２を収納する接続部収納ユニット２３と、光コネクタ２４が複数配列されてなる光コネクタ配列部２５とを有する成端ユニット２０を複数備えた光配線盤を用いて、光コネクタ３３によりコネクタ接続可能に成端された成端用光ファイバ３０をケーブル側光ファイバ２と接続し、成端用光ファイバ３０のうち少なくとも一つの光回線は、ケーブル側光ファイバ２との接続部２２を収納した接続部収納ユニット２３が属する成端ユニット２０とは異なる成端ユニット２０に属する光コネクタ配列部２５の光コネクタ２４と接続する。【選択図】  図５
2006113380.tif 000002
【特許請求の範囲】
【請求項１】
光ファイバケーブル（１）側の光ファイバであるケーブル側光ファイバ（２）を、光コネクタ（３３）によりコネクタ接続可能に成端された成端用光ファイバ（３０）と接続し、前記ケーブル側光ファイバを光コネクタを介して他の光ファイバ（４）と切替可能に接続する光配線盤であって、
前記光配線盤は、前記ケーブル側光ファイバと成端用光ファイバとの接続部（２２）を収納する接続部収納ユニット（２３）と、光コネクタ（２４）が複数配列されてなる光コネクタ配列部（２５）とを有する成端ユニット（２０）を複数備えており、
前記成端用光ファイバのうち少なくとも一つの光回線は、当該成端用光ファイバのケーブル側光ファイバとの接続部を収納した接続部収納ユニットが属する成端ユニットとは異なる成端ユニットに属する光コネクタ配列部の光コネクタと接続されていることを特徴とする光配線盤（１０）。
【請求項２】
前記複数の成端ユニットが収納された函体（１１）内に、２つの成端ユニットをまたぐように前記成端用光ファイバを配線するための成端ユニット間配線領域（１６）が設けられていることを特徴とする請求項１に記載の光配線盤。
【請求項３】
前記成端用光ファイバは、多心光ファイバ（３１）の一端が個々の単心光ファイバ（３２）に単心分離されてなるファンアウトコードであり、前記ケーブル側光ファイバは前記ファンアウトコードの多心光ファイバ側である他端と接続された多心光ファイバであることを特徴とする請求項１または２に記載の光配線盤。
【請求項４】
前記成端ユニットは、成端用光ファイバを振り分けて配線されるための振り分け配線領域（２７）を備えることを特徴とする請求項１ないし３のいずれかに記載の光配線盤。
【請求項５】
前記振り分け配線領域は、接続部収納ユニットと光コネクタ配列部との間に設けられていることを特徴とする請求項４に記載の光配線盤。
【請求項６】
前記接続部収納ユニットが前記成端ユニットの外側に引き出された状態と、前記接続部収納ユニットが前記振り分け配線領域を閉鎖するように前記成端ユニット内に格納された状態とを取ることができるように、前記接続部収納ユニットを引き出し可能に支持する引き出し機構（２６ａ）を備えることを特徴とする請求項５に記載の光配線盤。
【発明の詳細な説明】
【技術分野】
【０００１】
本発明は、光ファイバケーブルの光ファイバを切替可能に接続するための光配線盤に関する。
【背景技術】
【０００２】
光ファイバケーブルを光配線盤内で切替可能にコネクタ接続する場合、一般的には、光ファイバケーブルの先端部を光配線盤内に引き込んで固定し、光ファイバケーブルの先端部に露出された光ファイバ（ケーブル側光ファイバ）を成端用光ファイバ（例えばファンアウトコード）に融着接続し、成端用光ファイバの先端に組み立てられた光コネクタプラグを光配線盤内に配列された光コネクタアダプタと接続する。これにより、ケーブル側光ファイバは、成端用光ファイバを介していずれかの光コネクタアダプタに対応付けられる。
ケーブル側光ファイバに対して他の光ファイバを接続するには、他の光ファイバの先端に設けられた光コネクタプラグを任意の光コネクタアダプタに接続することにより、他の光ファイバとケーブル側光ファイバとを切替可能に接続することができる。
【０００３】
このような配線を行う場合、光配線盤の構成としては、以下の２通りのある。
（１）ケーブル側光ファイバとファンアウトコードとの融着接続部を収納する融着ユニットを多数配列して設けるともに、光コネクタアダプタが複数配列されたコネクタユニットを多数配列して設け、光配線盤内で、融着ユニットとコネクタユニットとを分けて収納する（例えば特許文献１参照）。
（２）トレーまたはモジュール等の収納ユニットを複数配列して設け、それぞれの収納ユニットに融着接続部とファンアウトコードと光コネクタアダプタとを収納する（例えば特許文献２参照）。
【特許文献１】特開２００１−４８４９号公報
【特許文献２】特開２００１−１２８２００号公報
【発明の開示】
【発明が解決しようとする課題】
【０００４】
他の光ファイバを光配線盤内の光コネクタアダプタとコネクタ接続する際に光回線の線番照合を容易に行うことができるように、光コネクタアダプタにおける光回線の配列順序は、光ケーブルにおける光回線の配列順序（ケーブル側光ファイバの線番の順序）にかかわらず、自由自在に設定したいという要求がある。
上記（１）の構成の光配線盤では、ケーブル側光ファイバに接続されたファンアウトコードを任意の光コネクタアダプタと接続することで、ケーブル側光ファイバを任意の光コネクタアダプタと対応付けることができる。しかしながら、（１）の構成の光配線盤は物品コストが高いという問題がある。
また、上記（２）の構成の光配線盤の場合、それぞれのケーブル側光ファイバを任意の収納ユニットに振り分けて配線することによって、光回線の順序を変更することができるが、ケーブル側光ファイバ（テープ心線等の光ファイバ心線であることが多い。）の配線を振り分けるにはケーブル側光ファイバがケーブルから露出される根元部を保護し、そこからケーブル側光ファイバの振り分けをしなければならないので、小心数の単位で振り分けることが難しい。
【０００５】
本発明は、上記事情に鑑みてなされたものであり、低コストな構成によって光ケーブルの光回線を自在な配列順序でコネクタ接続することが可能な光配線盤を提供することを課題とする。
【課題を解決するための手段】
【０００６】
前記課題を解決するため、光ファイバケーブル側の光ファイバであるケーブル側光ファイバを、光コネクタによりコネクタ接続可能に成端された成端用光ファイバと接続し、前記ケーブル側光ファイバを光コネクタを介して他の光ファイバと切替可能に接続する光配線盤であって、前記光配線盤は、前記ケーブル側光ファイバと成端用光ファイバとの接続部を収納する接続部収納ユニットと、光コネクタが複数配列されてなる光コネクタ配列部とを有する成端ユニットを複数備えており、前記成端用光ファイバのうち少なくとも一つの光回線は、当該成端用光ファイバのケーブル側光ファイバとの接続部を収納した接続部収納ユニットが属する成端ユニットとは異なる成端ユニットに属する光コネクタ配列部の光コネクタと接続されていることを特徴とする光配線盤を提供する。
この光配線盤においては、前記複数の成端ユニットが収納された函体内に、２つの成端ユニットをまたぐように前記成端用光ファイバを配線するためのユニット間配線領域が設けられている構成を採用することも可能である。
前記成端用光ファイバは、多心光ファイバの一端が個々の単心光ファイバに単心分離されてなるファンアウトコードであり、前記ケーブル側光ファイバは前記ファンアウトコードの多心光ファイバ側である他端と接続された多心光ファイバを用いることも可能である。
前記成端ユニットは、成端用光ファイバを振り分けて配線されるための振り分け配線領域を備えることが好ましい。この振り分け配線領域は、接続部収納ユニットと光コネクタ配列部との間に設けることができる。
前記接続部収納ユニットが前記成端ユニットの外側に引き出された状態と、前記接続部収納ユニットが前記振り分け配線領域を閉鎖するように前記成端ユニット内に格納された状態とを取ることができるように、前記接続部収納ユニットを引き出し可能に支持する引き出し機構を備えることが好ましい。
【発明の効果】
【０００７】
本発明によれば、接続部と光コネクタを成端ユニット内にコンパクトに収納することができるので、上記（１）の構成の光配線盤のように、接続部の収納スペースと光コネクタの収納スペースとをそれぞれ分けた場合に比べて、光配線盤の低コスト化が可能となる。しかも、成端用光ファイバの光コネクタは、当該成端用光ファイバのケーブル側光ファイバとの接続部を収納した接続部収納ユニットが属する成端ユニットに限らず、任意の成端ユニットに属する光コネクタ配列部の光コネクタと接続することができるので、上記（２）の構成の光配線盤について述べた問題が解決され、光ケーブルにおける光回線の配列順序（ケーブル側光ファイバの線番の順序）にかかわらず、光コネクタアダプタにおける光回線の配列順序を、自由自在に設定することが可能となる。
【発明を実施するための最良の形態】
【０００８】
以下、本発明を実施するための最良の形態について、図面を参照して説明する。
図１は、本発明の光配線盤の内部構成の一例を示す（ａ）正面図、（ｂ）右側面図、（ｃ）背面図である。図２は、図１の光配線盤における成端ユニットの（ａ）平面図、（ｂ）正面図である。図３は、図２の成端ユニットの右側面図である。図４は、接続部収納ユニットおよび支持板を省略して図２に示す成端ユニットを図示した背面図である。図５は、本発明の光配線盤における光ファイバの配線方法を説明する概略図である。
【０００９】
図１に示すように、本形態例の光配線盤１０は、函体１１内に、複数の成端ユニット２０を上下に多段に積層した構成となっている。
函体１１の下部には、函体１１内に引き込まれた光ファイバケーブル１，３の先端部を固定するケーブル固定部１２，１３が設けられている。
本形態例の説明では、それぞれの光ファイバケーブル１，３を区別するため、第１の光ファイバケーブル１を外線ケーブル、第２の光ファイバケーブル３を局内ケーブルと呼ぶことにする。ここで外線ケーブル１は、光配線盤１０が設置された伝送局の外から局内へと引き込まれた外線側光ケーブルであり、局内ケーブル３は、伝送装置等の局内装置と接続された装置側光ケーブルである。外線ケーブル１が固定される外線ケーブル固定部１２は、図１（ｃ）に示すように光配線盤１０の背面側に設けられており、局内ケーブル３が固定される局内ケーブル固定部１３は、図１（ａ）に示すように光配線盤１０の前面側に設けられている。
【００１０】
外線ケーブル１の先端部には光ファイバ心線等の光ファイバ２（以下、外線側光ファイバ２という場合がある。）が露出されている。外線側光ファイバ２としては、単心あるいは多心の光ファイバ心線が普通であるが、例えば、コードケーブルの端末に露出された光ファイバコード等も採用可能である。外線側光ファイバ２が単心光ファイバの場合、外線側光ファイバ２の１本づつがケーブル側光回線を構成するが、外線側光ファイバ２が多心光ファイバの場合、多心光ファイバ内の個々の光ファイバがそれぞれケーブル側光回線を構成することになる。
外線側光ファイバ２は、函体１１に取り付けられた断面略半円状のＲガイド１４にガイドされていずれかの成端ユニット２０に導入されている。函体１１内において、外線ケーブル固定部１２から成端ユニット２０に導入される外線側光ファイバ２は、函体１１の右側面の側（図１（ｃ）の左側）に設けられた外線側光ファイバ配線領域１６に配線されるようになっている。この外線側光ファイバ配線領域１６は、後述のように、２つの成端ユニット２０をまたぐように成端用光ファイバ３０が配線される成端ユニット間配線領域１６としても用いられる。
【００１１】
局内ケーブル３の先端部には光ファイバコード等の光ファイバ４（以下、局内側光ファイバ４という場合がある。）が露出されている。光ファイバ４としては単心または多心の光ファイバを用いることができるが、光ファイバの切替接続を１心単位で行うためには、単心光ファイバが用いられる。局内側光ファイバ４の先端には、光コネクタプラグ５が組み立てられている。
局内側光ファイバ４は、函体１１に取り付けられた断面略半円状のＲガイド１５にガイドされていずれかの成端ユニット２０まで配線される。函体１１内において、局内ケーブル固定部１３から成端ユニット２０に導入される局内側光ファイバ４は、函体１１の右側面の側（図１（ａ）の右側）に設けられた局内側光ファイバ配線領域１７に配線されるようになっている。
【００１２】
図２〜図５に示すように、成端ユニット２０は、板状のベース２１と、外線側光ファイバ２と成端用光ファイバ３０との接続部２２を収納する接続部収納ユニット２３と、光コネクタアダプタ２４が複数配列されてなる光コネクタ配列部２５とを備えている。
成端ユニット２０は、ボルトなどの固定部材（図示略）によって函体１１に取り付け固定することができる。
【００１３】
接続部収納ユニット２３は、複数のトレイ２３ａが積層され、最上段のトレイ２３ａの上側に蓋２３ｂが設けられた構成となっており、それぞれのトレイ２３ａには、外線側光ファイバ２と成端用光ファイバ３０との融着接続部２２を保持する融着接続部保持部（図示略）が収納されている。
【００１４】
図３に示すように、接続部収納ユニット２３は、ベース２１の背面側の端縁に設けられたヒンジ２６ａを介して回動可能に連結された支持板２６上に固定されている。接続部収納ユニット２３は、図３で実線にて示すように、支持板２６がベース２１に対してほぼ垂直となるように配置されることにより、ベース２１上にコンパクトに収納される。この形態例では、ベース２１のコーナー部に折り曲げ状に突出片２１ａが突設されるとともに、支持板２６に留め具２６ｂが設けられており、留め具２６ｂが突出片２１ａに穿設された留め穴（図示略）に嵌着されることにより、支持板２６がベース２１に対してほぼ垂直となるように保持される。留め具２６ｂは前記留め穴に対して着脱可能になっており、留め具２６ｂを外すとヒンジ２６ａを中心にして支持板２６を回動させ、図３で二点鎖線にて示すように、支持板２６を光配線盤１０の背面側（図３の右側）に倒し、成端ユニット２０の外側に引き出すことができる。つまり、本形態例では、ヒンジ２６ａにより、接続部収納ユニット２３を回動可能に支持する回動機構が構成されている。なお、引き出し機構としては、本形態例のような回動機構に限定されるものではなく、接続部収納ユニット２３をスライド移動させる機構など、種々の機構を採用することが可能である。
このように、接続部収納ユニット２３を成端ユニット２０の外側に引き出すことができるので、光ファイバ２，３０同士の接続作業や、その融着接続部２２の収納などの作業の利便性に優れている。接続部収納ユニット２３を成端ユニット２０内に格納することにより、成端ユニット２０の内部に配線された光ファイバに不用意に接触する等の不都合を防止できるようになっている。
【００１５】
光コネクタ配列部２５は、ベース２１の前面寄りに形成された枠状のフレーム２５ａに対して複数の光コネクタアダプタ２４が配列状態に取り付けられたものである。光コネクタアダプタ２４は、成端用光ファイバ３０の端部に組み立てられた光コネクタプラグ３３を光コネクタアダプタ２４に背面側から挿し込むことにより、成端用光ファイバ３０に融着接続された外線側光ファイバ２を、局内側光ファイバ４に対してコネクタ接続可能に成端する。
光コネクタアダプタ２４としては、成端用光ファイバ３０の光コネクタプラグ３３と局内側光ファイバ４先端の光コネクタプラグ５とをコネクタ接続することが可能なものが採用される。光コネクタの具体例としては、例えば、ＪＩＳ  Ｃ  ５９７３に規定されるＳＣ形光コネクタ（Single fiber Coupling optical fiber connector）やＪＩＳ  Ｃ  ５９８３に規定されるＭＵ形光コネクタ（Miniature-Unit couplimg optical fiber connector）等、各種の光コネクタが挙げられる。
【００１６】
成端用光ファイバ３０は、一端に光コネクタアダプタ２４と接続するための光コネクタプラグ３３が組み立てられており（このように光ファイバの先端に光コネクタプラグを組み立ててコネクタ接続可能にすることを成端という。）、他端が外線側光ファイバ２と接続されたものである。
本形態例では、成端用光ファイバ３０は、多心光ファイバ３１の一端側が個々の単心光ファイバ３２に単心分離されてなるファンアウトコードである。光コネクタプラグ３３は、それぞれの単心光ファイバ３２の先端部に組み立てられている。また、多心光ファイバ３１側の端部は、図５に示すように外線側光ファイバ２の先端に、多心光ファイバ同士で融着接続されている。
ファンアウトコード３０の単心光ファイバ３２（光回線）は、光コネクタプラグ３３を介して光コネクタ配列部２５の光コネクタアダプタ２４と接続されるが、各単心光ファイバ３２は、図５に模式的に図示するように、複数の成端ユニット２０にまたがって配線されるのに充分な長さを有している。
【００１７】
接続部収納ユニット２３と光コネクタ配列部２５との間には、ベース２１上で成端用光ファイバ３０を振り分けて配線するための振り分け配線領域２７が確保されている。振り分け配線領域２７上には、外線側光ファイバ２や成端用光ファイバ３０を保持するためのクランプ２７ａ，２７ｂ，２７ｃやワイヤーサドル２７ｅ等の光ファイバ保持具が適宜設けられている。外線側光ファイバ２や成端用光ファイバ３０を光ファイバ保持具で保持することにより、振り分け配線作業等により生じる振動等が伝達されないため、これら光ファイバ２，３０や接続部２２の光特性を安定に維持することができる。
【００１８】
外線側光ファイバ２は導入口２７ｉから振り分け配線領域２７へと導入され、成端用光ファイバ３０と接続されると、その接続部は接続部収納ユニット２３に収納される。上述したように、接続部収納ユニット２３を函体１１の背面側に引き出すことにより、外線側光ファイバ２と成端用光ファイバ３０との接続作業に必要な作業スペースを容易に確保することができる。
【００１９】
成端用光ファイバ３０は、接続部収納ユニット２３の外側に引き出されると、振り分け配線領域２７上で、当該成端ユニット２０に属する光コネクタ配列部２５の光コネクタアダプタ２４と接続されるか、他の成端ユニット２０に属する光コネクタ配列部２５の光コネクタアダプタ２４と接続されるかによって、振り分けて配線される。
成端用光ファイバ３０における多心光ファイバ３１から単心光ファイバ３２への分岐部３４は、ベース２１に取り付けられた分岐部ホルダ２７ｄに保持されるようになっている。分岐部ホルダ２７ｄは、例えば面ファスナーなどにより分岐部３４をくるんで保持する構造のものを使用することができる。
【００２０】
成端用光ファイバ３０の光コネクタプラグ３３が他の成端ユニット２０の光コネクタアダプタ２４と接続される場合、当該光コネクタプラグ３３を有する単心光ファイバ３２は、一旦導入口２７ｉから成端ユニット２０外に引き出され、外線側光ファイバ配線領域１６に配線され、他の成端ユニット２０の振り分け配線領域２７の導入口２７ｉを経て他の成端ユニット２０の光コネクタアダプタ２４と接続される。この場合、前記他の成端ユニット２０においては、外線側光ファイバ２ではなく、成端用光ファイバ３０が、導入口２７ｉから振り分け配線領域２７に導入されることになるが（図２（ａ）ではこのような成端用光ファイバを符号３０Ａで区別して示した。）、このような成端用光ファイバ３０Ａは、振り分け配線領域２７上で接続部収納ユニット２３を迂回するように配線され、先端の光コネクタプラグ３３を光コネクタアダプタ２４に接続される。
【００２１】
また、ベース２１上、光コネクタ配列部２５よりも前面側（図２（ａ）の下側、図３の左側）には、光コネクタ配列部２５の光コネクタアダプタ２４とコネクタ接続される局内側光ファイバ４が配線される局内側光ファイバ配線領域２８が設けられている。局内側光ファイバ配線領域２８には、局内側光ファイバ４がベース２１から前面側に落下しないようにガイドするガイド部材２８ａが設けられている。
局内側光ファイバ４は、局内側光ファイバ配線領域２８の右側に設けられた導入口２８ｉから局内側光ファイバ配線領域２８へと導入されると、光コネクタ配列部２５の光コネクタアダプタ２４からいずれかを選択してコネクタ接続することができる。
【００２２】
図２に示すように、光コネクタ配列部２５により、局内側光ファイバ配線領域２８と振り分け配線領域２７とが仕切られている。また、光コネクタ配列部２５の横に張り出した仕切り壁２９により、外線側光ファイバ配線領域１６と局内側光ファイバ配線領域１７とが仕切られている。このため、局内側光ファイバ配線領域１７，２８に配線される局内側光ファイバ４と、振り分け配線領域２７および外線側光ファイバ配線領域１６に配線される外線側光ファイバ２および成端用光ファイバ３０とが混在することが防止され、外線側と局内側のそれぞれの光ファイバを整然と区分けして配線することができる。
【００２３】
以上説明したように、本形態例の光配線盤においては、図５に示すように、単心光ファイバ３２が光コネクタプラグ３３により接続される光コネクタアダプタ２４としては、ファンアウトコード３０の多心光ファイバ３１と外線側光ファイバ２との接続部２２を収納した接続部収納ユニット２３が属する成端ユニット２０の光コネクタアダプタ２４に限らず、接続部２２が収納された成端ユニット２０とは異なる成端ユニット２０に属する光コネクタ配列部２５の光コネクタアダプタ２４を選択することもできる。
従って、本形態例の光配線盤１０によれば、外線ケーブル１における光回線の配列順序（外線側光ファイバ２の線番の順序）にかかわらず、光コネクタアダプタ２４における光回線の配列順序を、自由自在に設定することが可能となる。
２つの成端ユニット２０をまたぐように成端用光ファイバ３０を配線するための成端ユニット間配線領域１６が函体１１内に設けられているので、成端ユニット２０の外に引き出された成端用光ファイバ３０を函体１１内に収納して保護することができる。成端ユニット間配線領域１６は、前記仕切り板２９により局内側光ファイバ配線領域１７と仕切られているので、成端ユニット２０間に配線された成端用光ファイバ３０の存在が局内側光ファイバ４の配線に影響を与えることがなく、局内側光ファイバ４における接続切替を円滑に行うことができる。
【００２４】
成端用光ファイバの長さは、複数の成端ユニット間にまたがって配線される場合を考慮して、充分な長さに設定することができる。ケーブル側光ファイバ（実施例における外線側光ファイバ）の先端に成端用光ファイバが接続されるので、光ファイバケーブルの先端部に露出されるケーブル側光ファイバの長さをむやみに長くする必要がなく、光ファイバケーブルの布設や引き込み作業が容易になる。
【００２５】
ケーブル側光ファイバとして多心光ファイバを採用することにより、ケーブル側光ファイバが単心光ファイバである場合と比較して、光回線の数を減らすことなく光ケーブル内収納される光ファイバの本数を少なくすることができ、光ケーブルの外径の縮小や取扱い性の向上に有利である。
成端用光ファイバとして、多心光ファイバの一端が個々の単心光ファイバに単心分離されてなるファンアウトコードを用いることにより、ケーブル側光ファイバが多心光ファイバであっても、ケーブル側の光回線を個々に振り分けて光コネクタアダプタと接続することが可能となる。
【００２６】
成端用光ファイバを振り分けて配線するための振り分け配線領域を備えることにより、成端用光ファイバの振り分けや余長の収納を容易に行うことができる。
振り分け配線領域が接続部収納ユニットと光コネクタ配列部との間に設けられているので、振り分け配線領域に配線された光ファイバが成端ユニット外に突出することを防止し、光ファイバを傷めてしまう等の不都合を防止することができる。
接続部収納ユニットが成端ユニットの外側に引き出された状態と、接続部収納ユニットが振り分け配線領域を閉鎖するように成端ユニット内に格納された状態とを取ることができるので、振り分け配線領域に配線された光ファイバに悪影響を与えることなく接続部収納ユニットを引き出して融着接続等の作業を行うことができる。
【産業上の利用可能性】
【００２７】
本発明は、光コネクタを介して光ケーブルの光回線を切替可能に接続するために利用することができる。
【図面の簡単な説明】
【００２８】
【図１】本発明の光配線盤の内部構成の一例を示す（ａ）正面図、（ｂ）右側面図、（ｃ）背面図である。
【図２】図１の光配線盤における成端ユニットの（ａ）平面図、（ｂ）正面図である。
【図３】図２に示す成端ユニットの右側面図である。
【図４】接続部収納ユニットおよび支持板を省略して図２に示す成端ユニットを図示した背面図である。
【図５】本発明の光配線盤における光ファイバの配線方法を説明する概略図である。
【符号の説明】
【００２９】
１…光ファイバケーブル、２…ケーブル側光ファイバ、４…他の光ファイバ、１０…光配線盤、１１…函体、１６…成端ユニット間配線領域、２０…成端ユニット、２２…接続部、２３…接続部収納ユニット、２４…光コネクタ（光コネクタアダプタ）、２５…光コネクタ配列部、２７…振り分け配線領域、３０…成端用光ファイバ（ファンアウトコード）、３１…多心光ファイバ、３２…単心光ファイバ、３３…光コネクタ（光コネクタプラグ）。
【図１】
2006113380.tif 000003
【図２】
2006113380.tif 000004
【図３】
2006113380.tif 000005
【図４】
2006113380.tif 000006
【図５】
2006113380.tif 000007